(57)【特許請求の範囲】
【請求項１】
建物本体の平面視における外周面のうち、ある一面に設けられている開口部の開口面積の総和が、他の全ての面に設けられている開口部の開口面積の総和より大きく設定されており、
前記建物本体内には、階段室が前記ある一面の左右方向略中央部に接するようにして設けられており、前記階段室が接する部分は、前記一面と面一の耐力壁で形成されており、
この耐力壁以外の前記一面は窓で構成されており、
間仕切のない連続した居室が前記一面のうち、前記階段室が接する部分以外の面全体に面して、かつ前記階段室の前記耐力壁に接する部分以外の回りを囲むようにして設けられ、
前記建物本体の平面視における外周面のうち、前記ある一面と対向する面に沿って水回り系の部屋が前記居室に隣接して設けられていることを特徴とする建物。
【請求項２】
請求項１に記載の建物において、
前記階段室は、前記耐力壁と、この耐力壁に対して直角方向に連続する第１壁と、この第１壁に対して直角方向に連続し、かつ、前記耐力壁と平行な第２壁とで囲まれており、前記第１壁と第２壁とは上階床と連結されていることを特徴とする建物。
【請求項３】
請求項１または２に記載の建物において、
前記階段室の回りにある居室のうちの少なくとも一部は、前記階段室のある階の上階に吹き抜ける吹き抜けを有することを特徴とする建物。
【請求項４】
請求項１〜３のいずれか一項に記載の建物において、
前記階段室が接するある一面を形成する耐力壁に、バルコニー床が取付けられており、このバルコニー床の先端部が前記耐力壁と平行な壁と柱のうちの少なくともいずれか一方によって支持されていることを特徴とする建物。
【請求項５】
請求項３または４に記載の建物において、
前記建物本体を支持する基礎から建物本体内に吸気し、この吸気された空気が前記階段室および吹き抜けを通って上階に至って、屋根に設けられた排気部から排気する換気構造を備えていることを特徴とする建物。
【発明の詳細な説明】
【技術分野】
【０００１】
本発明は、建物本体内に、外壁のある一面側に接する階段室を設けた建物に関する。
【背景技術】
【０００２】
例えば、特許文献１には、建物本体の南側の外壁に階段領域を設けたものが記載されている。この階段領域は、玄関を外側、すなわち外壁に面して配置し、該玄関の横隣に外壁に面して一階から二階に通じる階段、便所を順次配置するとともに、これら玄関、階段、便所の内側（外壁と反対の側）にこれらに通じるホールを配置して全体の平面視形状を矩形にしたものである
【特許文献１】特開平７−３１７３３６号公報
【発明の開示】
【発明が解決しようとする課題】
【０００３】
ところで、上記特許文献１に記載されている建物において、その南側の外壁に大きな開口部を設ければ、この開口部から採光を十分に取ることができる。しかし、大きな開口部を設けると、その分だけ南側の外壁の壁量が少なくなって、建物の強度が低下するため、大きな開口部を設けるのは困難であった。
【０００４】
本発明は上記事情に鑑みてなされたものであり、建物本体の強度を低下させることなく、建物本体の外壁のうち、南側等を向いているある一面に大きな開口部を容易に設けることができる建物を提供することを課題としている。
【課題を解決するための手段】
【０００５】
上記課題を解決するために、請求項１に記載の発明は、例えば図１〜図７に示すように、建物本体２の平面視における外周面のうち、ある一面３ａに設けられている開口部の開口面積の総和が、他の全ての面３ｂ〜３ｄに設けられている開口部の開口面積の総和より大きく設定されており、
前記建物本体２内には、階段室２０が前記ある一面３ａの左右方向略中央部に接するようにして設けられており、前記階段室２０が接する部分は、前記一面と面一の耐力壁５で形成されており、この耐力壁２９以外の前記一面３ａは窓４で構成されており、
間仕切のない連続した居室２５が前記一面３ａのうち、前記階段室２０が接する部分以外の面全体に面して、かつ前記階段室２０の前記耐力壁５に接する部分以外の回りを囲むようにして設けられており、
前記建物本体２の平面視における外周面のうち、前記ある一面３ａと対向する面３ｃに沿って水回り系の部屋２７が前記居室２７に隣接して設けられていることを特徴とする。
【０００６】
請求項１に記載の発明によれば、階段室２０が建物本体２の外周面のうちのある一面３ａの左右方向略中央部に接するようにして設けられており、このある一面３ａが耐力壁５で形成されている。階段室２０は壁に囲まれているので、この階段室２０の壁と耐力壁とが建物本体２を支持する構造体を構成する。したがって、ある一面３ａに設けられている開口部が、その開口面積の総和を、他の全ての面３ｂ〜３ｄに設けられている開口部の開口面積の総和より大きくなるように、大きくしても、前記構造体によって建物本体２の強度が低下することがない。したがって、南側等を向いているある一面３ａに大きな開口部を容易に設けることができる。
また、間仕切のない連続した居室２５が前記一面３ａのうち、前記階段室２０が接する部分以外の面全体に面して、かつ前記階段室２０の前記耐力壁５に接する部分以外の回りを囲むようにして設けられているので、この居室２５に大きな開口部から採光を十分に取れる。
また、階段室２０の回りに仕切りがなく、建物本体２の前記ある一面３ａと対向する面３ｃに沿って水回り系の部屋２７が居室２５と隣接してあるので、この部屋にも採光を前記ある一面３ａに設けられた大きな開口部から採光できる。
【０００７】
請求項２に記載の発明は、請求項１に記載の建物において、
前記階段室２０は、前記耐力壁５と、この耐力壁５に対して直角方向に連続する第１壁２１と、この第１壁２１に対して直角方向に連続し、かつ、前記耐力壁５と平行な第２壁２２とで囲まれており、前記第１壁２１と第２壁２２とは上階床２３と連結されていることを特徴とする。
【０００８】
ここで、前記第１壁２１と第２壁２２とは、間仕切壁で構成してもよいし、耐力壁で構成してもよい。
【０００９】
請求項２に記載の発明によれば、階段室２０は、耐力壁５と、第１壁２１と、第２壁２２とで囲まれているので、階段室２０は平面視において略コ字状の構造体の内側に形成される。そして、第１壁２１および第２壁２２は上階床２３に連結されているので、前記略コ字状の構造体によって建物本体２の上階の前記ある一面３ａ側が支持される。したがって、建物本体２の強度を高めることができるので、南側等を向いているある一面３ａに大きな開口部を容易に設けることができる。
【００１０】
請求項３に記載の発明は、請求項１または２に記載の建物において、
前記階段室２０の回りにある居室２５のうちの少なくとも一部（例えば居間２５ａ）は、前記階段室２０のある階の上階に吹き抜ける吹き抜け３０を有することを特徴とする。
【００１１】
請求項３に記載の発明によれば、居室２５の少なくとも一部（例えば居間２５ａ）は、吹き抜け３０を有しているので、前記ある一面３ａに設けられている開口部から上階部分を通して居室２５の少なくとも一部（例えば居間２５ａ）に採光できるとともに、通風性も確保できる。
【００１４】
請求項４に記載の発明は、例えば図１〜図７に示すように、請求項１〜３のいずれか一項に記載の建物において、
前記階段室２０が接するある一面３ａを形成する耐力壁２０に、バルコニー床４０が取付けられており、このバルコニー床４０の先端部が前記耐力壁５と平行な壁４３と柱４４のうちの少なくともいずれか一方によって支持されていることを特徴とする。
【００１５】
請求項４に記載の発明によれば、耐力壁５と、バルコニー床４０と、壁４３と柱４４のうちの少なくともいずれか一方とによって門型あるはテーブル型の構造となるので、建物本体２のある一面３ａ側を外側から補強することができる。したがって、ある一面３ａに大きな開口部を設けても、建物本体２の強度が不足することがない。
【００１６】
請求項５に記載の発明は、例えば図９〜図１１に示すように、請求項３または４に記載の建物において、
前記建物本体２を支持する基礎１から建物本体２内に吸気し、この吸気された空気が前記階段室２０および吹き抜け３０を通って上階に至って、屋根に設けられた排気部５２から排気する換気構造を備えていることを特徴とする。
【００１７】
請求項５に記載の発明によれば、建物本体２が、前記吹き抜け３０、階段室２０によって上下階に亙って大きく連通しているので、上記のような換気構造によって、建物内全体の換気を効率的に行うことができる。
【発明の効果】
【００１８】
本発明によれば、階段室が建物本体の外周面のうちのある一面に設けられている開口部が、その開口面積の総和を、他の全ての面に設けられている開口部の開口面積の総和より大きくなるように、大きくしても、階段室を形成する壁と耐力壁とで構成された構造体によって建物の強度が低下することがない。したがって、南側等を向いているある一面に大きな開口部を容易に設けることができる。
また、階段室回りは、間仕切のない連続した居室となっているので、この居室に大きな開口部から採光を十分に取れる。
【００１９】
特に、階段室を、前記耐力壁と、この耐力壁に対して直角方向に連続する第１壁と、この第１壁に対して直角方向に連続し、かつ、前記耐力壁と平行な第２壁とで構成された平面視略コ字状の構造体内に形成することによって、建物本体の上階の前記ある一面側が支持される。したがって、建物の強度を高めることができるので、南側等を向いているある一面に大きな開口部を容易に設けることができる。
また、居室の少なくとも一部を、吹き抜けとすることによって、大きな開口部から上階部分を通して居室の少なくとも一部に採光できるとともに、通風性も確保できる。
加えて、階段室の回りに仕切りがないので、建物本体の前記ある一面と対向する面に沿って水回り系の部屋を設けることによって、この部屋にも採光を前記ある一面に設けられた大きな開口部から採光できる。
【００２０】
また、前記耐力壁に、バルコニー床を取り付け、このバルコニー床の先端部を前記耐力壁と平行な壁と柱のうちの少なくともいずれか一方によって支持することによって、建物本体のある一面側を外側から補強することができる。したがって、建物本体のある一面に大きな開口部を設けても、建物本体の強度が不足することがない。
さらに、建物本体が、前記吹き抜け、階段室によって上下階に亙って大きく連通しているので、建物本体を支持する基礎から建物本体内に吸気し、この吸気された空気が前記階段室および吹き抜けを通って上階に至って、屋根に設けられた排気部から排気する換気構造を備えることによって、建物内全体の換気を効率的に行うことができる。
【発明を実施するための最良の形態】
【００２１】
以下、図面を参照して本発明の実施の形態について説明する。
図１〜図７は本発明に係る建物の一例を示すものである。図１は建物の正面図、図２は背面図、図３は右側面図、図４は左側面図である。また、図５は建物の１階の平面図、図６は２階の平面図、図７はスキップ２階の平面図である。
【００２２】
これらの図に示す建物は、基礎１とこの基礎１上に構築された建物本体２とから構成されている。建物本体２は複数の建物ユニットを連結して構成されたユニット式のものである。なお、建物ユニットは、四隅に立設された４本の柱と、これら柱の上端部間に架設された４本の上梁と、柱の下端部間に架設された４本の下梁を有する骨組みを備えてほぼ箱形に形成されたものである。
【００２３】
前記建物本体２は、図５〜図７に示すように、平面視において矩形状に形成されており、その外壁は４つの面３ａ，３ｂ，３ｃ，３ｄを備えている。面３ａは南側を向く面、面３ｂは西側を向く面、３ｃは北側を向く面、３ｄは東側を向く面である。
建物本体２の４つの面のうちの、面（ある一面）３ａには、図１および図５に示すように、その１階部分に引違い式の４連の掃出し窓４，４が左右に離間して設けられており、該掃出し窓４，４間にある外壁は耐力壁５となっている。
また、建物本体２の面３ａの２階部分には、図１、図６および図７に示すように、その左側には窓６，７が上下に２段、それぞれ横方向に４つ設けられている。上の窓６は片開き式の窓であり、下の窓７は嵌め殺し式の窓である。また、窓６，７の右側には、引違い式の４連の掃出し窓８が設けられており、掃出し窓８と窓６，７の間にある外壁は、１階の耐力壁５と連続する耐力壁５となっている。
このように、建物本体２の面３ａには、前記耐力壁５と、掃出し窓４，４、窓６，７、掃出し窓８とが設けられており、その大部分は掃出し窓４，４、窓６，７、掃出し窓８によって構成される開口部である。
【００２４】
また、建物本体２の面３ｂには、図４および図５に示すように、その１階部分に玄関扉９と片開き式の窓１０とが設けられている。
また、建物本体２の面３ｂの２階には、図４および図６に示すように、片開き式の窓１１が設けられている。
このように、建物本体２の面３ｂには、耐力壁である外壁と、玄関扉９、窓１０，１１とが設けられており、その大部分は外壁よって構成されており、その一部分が玄関扉９、窓１０，１１のような開口部である。
【００２５】
さらに、建物本体２の面３ｃには、図２および図５に示すように、その１階部分の中央部に勝手口扉１２が設けられており、この勝手口扉１２の左側に引違い式の窓１３が設けられている。また、勝手口扉１２の右側には、片開き式の小窓１４，１４が設けられている。
また、建物本体２の面３ｃの２階には、図２および図６に示すように、中央部に片開き式の窓１５が設けられており、この窓１５の右側に小窓１６，１６が設けられている。
このように、建物本体２の面３ｃには、耐力壁である外壁と、勝手口扉１２、窓１３、小窓１４，１４、窓１５、小窓１６，１６が設けられており、その大部分は外壁よって構成されており、その一部分が勝手口扉１２、窓１３、小窓１４，１４、窓１５、小窓１６，１６のような開口部である。
【００２６】
また、建物本体２の面３ｄには、図３および図５に示すように、その１階部分に開口部は設けられておらず、図３および図６および図７に示すように、２階部分に窓１７，１８が上下に離間して設けられている。
このように、建物本体２の面３ｄには、耐力壁である外壁と、窓１７，１８が設けられており、その大部分は外壁よって構成されており、その一部分が窓１７，１８のような開口部である。
【００２７】
そして、建物本体２の面（ある一面）３ａに設けられている開口部の開口面積の総和は、他の全ての面３ｂ，３ｃ，３ｄに設けられている開口部の開口面積の総和より大きく設定されている。
したがって、本実施の形態の建物では、南側を向いている面３ａから大きく採光できるようになっている。
【００２８】
また、前記建物本体２内には、図５および図６に示すように、階段室２０が設けられており、この階段室２０が接する面３ａは上述したように耐力壁５で形成されている。つまり、階段室２０は、耐力壁５と、この耐力壁５に対して直角方向に連続する第１壁２１と、この第１壁２１に対して直角方向に連続し、かつ、前記耐力壁５と平行な第２壁２２とで囲まれており、これら第１壁２１と第２壁２２とは２階床２３に連結されている。これら第１壁２１および第２壁２２は耐力壁で構成されている。
このように、階段室２２は平断面視略コ字状の壁の内側に設けられており、このコ字状の壁が２階床２３に連結されている。
【００２９】
また、図５に示すように、階段室２０の回りは、間仕切のない連続した居室２５となっており、この居室２５のうち左側（西側）部分が居間２５ａとなっており、右側（東側）部分が食堂２５ｂとなっている。また、食堂２５ｂの北側には和室２６が設けられている。この和室２６の西側に台所２７が設けられており、この台所２７の西側にトイレ２８が設けられている。このトイレ２８の西側に玄関２９が設けられている。
前記台所２７、トイレ２８等の水回り系の部屋は、建物本体２の南側の面３ａと対向する北側の面３ｃに沿って配置されている。
さらに、前記居室２０の居間２５ａの上方は、階段室２０のある階の上階、つまり２階に吹き抜ける吹き抜け３０となっている。
【００３０】
また、建物本体２の２階には、図６に示すように、前記居間２５ａの上方の吹き抜け３０の北側に寝室３１が設けられており、この寝室３１には階段室２０内の階段２０ａから出入りできるようになっている。寝室３１の北側には、浴室３２、洗面室３３、トイレ３４が設けられており、これら浴室３２、洗面室３３、トイレ３４等の水回り系の部屋は、建物本体２の南側の面３ａと対向する北側の面３ｃに沿って配置されている。
また、寝室３１の東側には、収納室３５が設けられている。この収納室３５は天井高が９０〜１４０ｍｍ程度の高さのものであり、収納専用として使用されるものである。この収納室３５には、出入口３５ａ，３５ｂが設けられており、出入口３５ａはトイレ３４の前のホールに面しており、出入口３５ｂは２階から半階上のスキップ２階への階段３６の降り口に面している。また、収納室３５の南側には、階段３６を挟んで居室３７が設けられている。この居室３７は例えば子供部屋として使用されるもので、その天井高は収納室３５の天井高より高く、スキップ２階の天井までの高さを有している。
【００３１】
また、建物本体２のスキップ２階には、図７に示すように、北東の角部に寝室３８が設けられている。また、寝室３８の西側には、この寝室３８より床高が高いロフト４０が設けられており、開口部４０ａから出入りできるようになっている。また、ロフト４０の南側には収納室４１が設けられており、開口部４０ｂから出入りできるようになっている。この収納室４１は、１階の居間２５ａの上方の吹き抜け３０より上方に設けられたものであり、その床は２階にある寝室３１の床より高くなっている。そして、収納室４１には、寝室３１とロフト４０の双方から出入りできるようになっている。
【００３２】
また、図１、図３〜図６に示すように、建物本体２の南側の面３ａの耐力壁５には、２階のバルコニーを構成するバルコニー床４０が取り付けられている。このバルコニー床４０は平面視矩形状のものであり、その先端と側端の縁部には手摺壁４１が立設されている。また、バルコニー床４０の先端部は、壁４３と柱４４とによって下方から支持されている。壁４３は前記耐力壁５と平行に設けられたものであり、バルコニ床４０の先端部の左側部を支持している。また、柱４４も耐力壁５と平行に設けられたものであり、バルコニ床４０の先端部の右隅を支持している。
したがって、このようなバルコニーの支持構造では、耐力壁５と、バルコニー床４０と、壁４３とが連続して門型の構造となり、さらに、柱４４を付加することでテーブル型の構造となり、強度に優れたものとなる。
【００３３】
このように、本実施の形態の建物では、建物本体２の南側の面（ある一面）３ａに設けられている開口部が、その開口面積の総和を、他の全ての面３ｂ〜３ｄに設けられている開口部の開口面積の総和より大きくなるように、大きくしても、階段室２０を形成する壁（例えば第１壁２１、第２壁２２）と耐力壁５で構成された構造体によって建物本体２の強度が低下することがない。したがって、南側等を向いているある一面に大きな開口部（掃出し窓４，４、窓６，７，８）を容易に設けることができる。
また、階段室２０の回りは、間仕切のない連続した居室２５となっているので、この居室２５に大きな開口部（掃出し窓４，４、窓６，７，８）から採光を十分に取れる。
【００３４】
また、階段室２０が、耐力壁５と、この耐力壁５に対して直角方向に連続する第１壁２１と、この第１壁２１に対して直角方向に連続し、かつ、前記耐力壁５と平行な第２壁２２とで構成された平面視略コ字状の構造体内に形成されているので、この構造体によって、建物本体２の南側の面３ａが支持される。したがって、建物の強度を高めることができるので、南側等を向いている面３ａに大きな開口部（掃出し窓４，４、窓６，７，８）を容易に設けることができる。
また、居室２５の居間２５ａを、吹き抜け３０としたので、大きな開口部（掃出し窓４，４、窓６，７）から２階部分を通して居間２５に採光できるとともに、通風性も確保できる。
加えて、階段室２０の回りに仕切りがないので、建物本体２の南側の面３ａと対向する面３ｃに沿って設けられた水回り系の部屋（台所２７、トイレ２８、浴室３２、洗面室３３、トイレ３４にも採光を南側の面３ａに設けられた大きな開口部（掃出し窓４，４、窓６，７）から採光できる。
また、耐力壁５に、バルコニー床４０を取り付け、このバルコニー床４０の先端部を耐力壁５と平行な壁４３および柱４４によって支持したので、建物本体２の南側の面３ａを外側から補強することができる。したがって、建物本体２の南側の面３ａに大きな開口部を設けても、建物本体２の強度が不足することがない。
【００３５】
また、本実施の形態の建物は以下のような換気構造を備えている。すなわちまず、図５に示すように、階段室２０の階段２０ａの下方は収納部となっており、この収納部に換気ユニット本体５０が設置されている。この換気ユニット本体５０には、外部吸入用配管５１（図９参照）と屋内供給用配管（図示略）がそれぞれ接続されている。
外部吸入用配管５１は、建物の外部の空気を屋内に取り入れるために建物の外部から換気ユニット本体１１に連通するものであり、建物の基礎１を貫通して、換気ユニット本体５０に接続されている。
屋内供給用配管は、外部吸入用配管５１から吸入された空気を換気ユニット本体１１を介して建物本体２内に供給するものである。
【００３６】
前記換気ユニット本体５０は、電動モーターと、この電動モーターにより回転する多数の羽根を備えた換気扇とからなり、換気扇の羽根により発生する強制的な空気の流れを利用して、配管の内部の空気を強制的に移動させることができるものである。すなわち、外部吸入用配管５１の空気を屋内供給用配管に向かって強制的に移動させることができるものである。具体的には、特に図示しないが、羽根車の回転に伴って気体の遠心力を利用し、気体を圧送するターボファンと、このターボファンからの吹き出し流路を形成するケーシングとを備えているものである。
【００３７】
前記外部吸入用配管５１から吸入された外の新鮮な空気は換気ユニット本体１１を介して、屋内供給用配管に供給される。屋内供給用配管は、建物本体２の壁等に設けられた吹出口から吹出される。
吹出された空気は階段室２０および吹き抜け３０を通って上階に至り、さらに、収納室４１やロフト４０等を通って、屋根に設けられた排気部５２から排気される。また、吹出口から吹出された空気とともに、南側の面３ａに設けられた開口部や他の面３ｂ〜３ｃに設けられた開口部から流入してくる空気も同様にして排気部５２から排気される。
【００３８】
排気部５２は、屋根の棟部に所定間隔離間して２つ設けられており、以下のように構成されている。すなわち、図１１に示すように、屋根の棟部には、開口部５５が形成されており、この開口部５５には、四角筒状の支持部材５６が取り付けられており、この支持部材５６に排気筒５７が取り付けられている。
この排気筒５７はパルクと称される軽量気泡コンクリートで形成された板状の部材を四角筒状に組立てたものである。そして、この換気筒５７の下端部と屋根の屋根材５８との間には水切り５９が設けられており、換気筒５７と屋根材５８との取合い箇所からの雨漏りを防止している。さらに、取付部材５６と排気筒５７との間には防水シート６０が挿入されており、この防水シート６０の上端部は支持部材５６の上端部まで立上げられ、防水シート６０の下端部は屋根材５８と屋根パネル６１との間まで延出されている。
【００３９】
前記支持部材５６の上端開口は閉塞板６１によって閉塞されている。この閉塞板６１には開口が形成されており、この開口にダクト６２が接続されている。このダクト６２の下端部はフード６３ａに連結されており、このフード６３ａには換気扇６３ｂが取り付けられている。また、この換気扇６３ｂには、温度センサ（図示略）が取り付けられており、例えば３５℃以上で換気扇６３ｂが作動するようになっている。
また、前記排気筒５７の上端開口にはキャップ６４が上下に所定間隔を隔てて被せられている。このキャップ６４は、前記支持部材５６の上端部に上方に突出するようにして固定された取付金具６５を介して支持部材５６に取り付けられている。取付金具６５は支持部材５６の周方向に所定間隔で複数取り付けられており、該取付金具６５の上端部は外側に折曲されて排気筒５７の上端面より外側まで延出されている。取付金具６５の外周部には外周リング６６が取り付けられており、この外周リング６６と排気筒５７との間は隙間が設けられている。
【００４０】
そして、上記のように構成された排気部５２では、換気扇６３ｂを回すことによって建物本体２内の空気がダクト６２に流入し、このダクト６２内に流入した空気は、その先端部から流出し、さらに、閉塞板６１とキャップ６４との間の隙間を径方向外側に向けて流れ、取付金具６５，６５から抜け出て、排気筒５７と外周リング６６との間の隙間から外部に排気されるようになっている。
上記のような換気構造を備えた建物では、屋外の新鮮な空気が基礎１を貫通して設けられた外部吸入用配管５１を流通し、換気ユニット本体５０を介して吹出口から吹出され、この吹出された空気は温度差を利用した熱還流により、スキップ２階へと抜け、さらに前記換気扇６３ｂによって換気筒５７から外部に排気される。したがって、小屋裏にこもりがちな熱気はこの排気筒５７を通して排気され、いつも快適な温度環境を保つことができる。また、建物本体２が、前記吹き抜け３０、階段室２０によって上下階に亙って大きく連通しているので、建物内全体の換気を効率的に行うことができる。
【図面の簡単な説明】
【００４２】
【図１】本発明に係る建物の一例を示すものであり、建物の正面図である。
【図２】同、背面図である。
【図３】同、右側面図である。
【図４】同、左側面図である。
【図５】同、建物の１階の平面図である。
【図６】同、建物の２階の平面図である。
【図７】同、建物のスキップ２階の平面図である。
【図８】同、建物の正断面図である。
【図９】図８におけるＡ−Ａ線断面図である。
【図１０】図８におけるＢ−Ｂ線断面図である。
【図１１】本発明に係る建物の排気部を示す断面図である。
【符号の説明】
【００４３】
１  基礎
２  建物本体
３ａ  建物本体のある一面
３ｂ〜３ｄ  その他の面
５  耐力壁
２０  階段室
２１  第１壁
２２  第２壁
２３  ２階床
２５  居室
３０  吹き抜け
４０  バルコニー床
４３  壁
４４  柱
５２  排気部
【図１】
0004689952.tif 000002
【図２】
0004689952.tif 000003
【図３】
0004689952.tif 000004
【図４】
0004689952.tif 000005
【図５】
0004689952.tif 000006
【図６】
0004689952.tif 000007
【図７】
0004689952.tif 000008
【図８】
0004689952.tif 000009
【図９】
0004689952.tif 000010
【図１０】
0004689952.tif 000011
【図１１】
0004689952.tif 000012